(57)【要約】      （修正有）【課題】見栄えがよく簡単に施行できる保護兼雑草抑制構造体を提供する。【解決手段】少なくとも間伐材または建設廃材を原料とする木材チップを含む林産物や穀類副産物などの植物性材料がネット状の袋に収納されてなる構造体であって該構造体はそのネット状の袋材料及びこれをネット状に縫製加工する糸及び口を閉じるために用いる糸或いは紐が、略同色とする。さらに、これらの色が茶色或いは褐色系とする。また、使用するネット状の袋の底部にマチを設け、該マチは袋の外側に折り返しを設けてこの部分を縫合することにより形成する。また、充填後に略中央にあたる位置に袋の上下を幅を規制する紐状の部材をネット状の袋材料を貫通して設置する。【選択図】図１
0003115422.tif 000002
【実用新案登録請求の範囲】
【請求項１】
少なくとも間伐材または建設廃材を原料とする木材チップを含む林産物や穀類副産物などの植物性材料がネット状の袋に収納されてなる構造体であって、そのネット状の袋材料及びこれをネット状に縫製加工する糸及び口を閉じるために用いる糸或いは紐が、略同色である事を特徴とする構造体。
【請求項２】
少なくとも間伐材または建設廃材を原料とする木材チップを含む林産物や穀類副産物などの植物性材料がネット状の袋に収納されてなる構造体であって、そのネット状の袋材料及びこれをネット状に縫製加工する糸及び口を閉じるために用いる糸或いは紐が、略同色であって且つその色が茶色或いは褐色系である事を特徴とする、請求項１記載の構造体。
【請求項３】
少なくとも間伐材または建設廃材を原料とする木材チップを含む林産物や穀類副産物などの植物性材料がネット状の袋に収納されてなる構造体であって、使用するネット状の袋の底部にマチを設け、該マチは袋の外側に折り返しを設けてこの部分を縫合することにより形成したことを特徴とする構造体。
【請求項４】
少なくとも間伐材または建設廃材を原料とする木材チップを含む林産物や穀類副産物などの植物性材料がネット状の袋に収納されてなる構造体であって、使用するネット状の袋の底部にマチを設け、該マチは袋の下部外側を内側に折り返してこの部分を縫合することにより形成したことを特徴とする構造体。
【請求項５】
少なくとも間伐材または建設廃材を原料とする木材チップを含む林産物や穀類副産物などの植物性材料がネット状の袋に収納されてなる構造体であって、該植物性材料を充填後に略中央にあたる位置に袋の上下を幅を規制する紐状の部材がネット状の袋材料を貫通して設置されてなり、該部材によって中央部の膨らみを規制し、設置時の平坦性を向上させたことを特徴とする、植物性材料がネット状の袋に収納されてなる構造体。
【考案の詳細な説明】
【技術分野】
【０００１】
本考案は、主に緑化工事、造園工事、法面の保護等に用いられる保護兼雑草抑制構造体に関するものである。
【背景技術】
【０００２】
従来、緑化工事、造園工事、法面の保護のために行う工事等では、ネットの張り付けなどが行われていた。
【考案の開示】
【考案が解決しようとする課題】
【０００３】
しかし、従来の造園工事等で樹木を植栽した場合、樹木の周辺は土を盛り付けるのみの方法では、樹木周辺に雑草が繁茂し、見栄えが悪く且つ保水性を損なって樹木の育成を阻害し、また、その雑草の刈り払いの際には樹木を損傷する、といった不都合が生じていた。
【０００４】
また、従来の法面工事の崩落防止のためにネットの張り付けなどを行う方法では、崩落防止効果が低く、また、保水効果が低いため別途吹きつけ等の工事を行う必要が生じて、作業コストアップに繋がっていた。
【０００５】
また、植林された樹木を生長させるために行われる間伐時に発生する間伐材や建設廃材は、利用する用途が非常に少なく、産業廃棄物としてその処理が問題となっていた。
【課題を解決するための手段】
【０００６】
本考案は、主に緑化工事、造園工事、法面の保護等に用いられる保護兼雑草抑制構造体に関するものであって、該構造体はそのネット状の袋材料及びこれをネット状に縫製加工する糸及び口を閉じるために用いる糸或いは紐が、略同色である事を特徴とする。さらに、これらの色が茶色或いは褐色系である事を特徴とする。また、使用するネット状の袋の底部にマチを設け、該マチは袋の外側に折り返しを設けてこの部分を縫合することにより形成したことを特徴とする。また、充填後に略中央にあたる位置に袋の上下を幅を規制する紐状の部材がネット状の袋材料を貫通して設置されてなることを特徴とする。
【考案の効果】
【０００７】
前記の方法を用いる事により、簡便な方法によって見栄えがよく、非常に簡便な工法によって設置可能で、間伐材や建設廃材等のリサイクルにも寄与する保護兼雑草抑制構造体の製造が可能となり、その需要は大であって、以って産業に多大なる貢献をする事が出来るものである。
【考案を実施するための最良の形態】
【０００８】
少なくとも間伐材または建設廃材を原料とする木材チップを含む林産物や穀類副産物などの植物性材料がネット状の袋に収納されてなる構造体であって該構造体はそのネット状の袋材料及びこれをネット状に縫製加工する糸及び口を閉じるために用いる糸或いは紐が、略同色とする。さらに、これらの色が茶色或いは褐色系とする。また、使用するネット状の袋の底部にマチを設け、該マチは袋の外側に折り返しを設けてこの部分を縫合することにより形成する。また、充填後に略中央にあたる位置に袋の上下を幅を規制する紐状の部材をネット状の袋材料を貫通して設置する。
【実施例１】
【０００９】
図１は、本考案の１実施例の略図である。本実施例では、本考案に係る間伐材を原料とする木材チップと枯葉及び緑葉を、合成樹脂製の袋状に加工したネットに収納したものを用いている。本実施例では、通常は用途がほとんど無く、産業廃棄物として処理されていた間伐材を有効に再利用しており、エコロジーという観点からも非常に有効である。ここで、図中１１は袋状に加工したネット、１２はこれに充填された植物性材料を示す。
【００１０】
ここで、筆者らは此処で述べている植物性材料がネット状の袋に収納されてなる構造体に関して鋭意研究改良を進めてきている。商標としては「チップタイ」を登録しており、関連する特許および実用新案も多数出願してきた。その中には陸上用のみならず、水中、海中で利用を図るものも含まれている。
【特許文献１】特開２００５−０３００２８号公報
【００１１】
斯様に、本考案にかかる植物性材料がネット状の袋に収納されてなる構造体はその多彩な用途からも、またエコロジー的な観点からも注目を集める存在となりつつある。しかし一面、最も基本的な庭園、路側、法面などの保護兼雑草抑制体として活用する場合に、袋及び使用する縫い糸や紐などの色調から、用途にマッチしない、美観が不足する等の評価を受ける事があった。特に縫い糸や紐に袋と異なる色の材料を用いた場合、その傾向が顕著であった。これを鑑み、本考案においては構造体のネット状の袋材料及びこれをネット状に縫製加工する糸及び口を閉じるために用いる糸或いは紐を略同色とし、さらに、これらの色が茶色或いは褐色系とした。
【００１２】
本発明の方法によって形成された構造体は、簡便な方法によって設置時の美観が改善され、本来エコロジーという観点からも非常に有効であり、且つ機能的にも優れた本製品を、美観の点からも課題のないものとすることが出来、以って産業に多大なる貢献をする事が出来るものであった。
【実施例２】
【００１３】
図２は、本考案の他の実施例の略図である。本実施例においては、本考案に係る他の実施の形態として使用するネット状の袋の底部にマチを設け、該マチは袋の外側に折り返しを設けてこの部分を縫合することにより形成した。また、充填後に略中央にあたる位置に袋の上下を幅を規制する紐状の部材をネット状の袋材料を貫通して設置した。ここで、図中１１は袋状に加工したネット、１２はこれに充填された植物性材料、２１はマチ部、２２は上下を幅を規制する紐状の部材を示す。
【００１４】
本実施例の方法によれば、使用するネット状の袋の底部にマチを設け、該マチは袋の外側に折り返しを設けてこの部分を縫合することにより形成したことにより、植物性材料を充填後、口を紐で閉じる作業を行った後、敷設時に、構造体の形状が角の立った略矩形に整えやすく、敷設工事後の美観に与って効果があった。
【００１５】
また、充填後に略中央にあたる位置に袋の上下を幅を規制する紐状の部材をネット状の袋材料を貫通して設置したことにより、敷設時に、構造体の中央が膨れた形状になることがなく、全体の形状も角の立った略矩形に整えやすく、敷設工事後の美観に与って効果があった。
【実施例３】
【００１６】
図３は、本考案の他の実施例の略図である。本実施例においては、本考案に係る他の実施の形態として使用するネット状の袋の底部にマチを設け、該マチは袋の下部外側を内側に折り返してこの部分を縫合することにより形成したした。ここで、図中３１はマチ部の形状を示す。
【００１７】
本実施例の方法によれば、植物性材料を充填後、口を紐で閉じる作業を行った後、敷設時に、構造体の形状が角の立った略矩形に整えやすく、敷設工事後の美観に与って効果があった。
【００１８】
本発明の方法によって形成された構造体は、簡便な方法によって設置時の美観が改善され、本来エコロジーという観点からも非常に有効であり、且つ機能的にも優れた本製品を、美観の点からも課題のないものとすることが出来、以って産業に多大なる貢献をする事が出来るものであった。
【産業上の利用可能性】
【００１９】
本考案の方法を用いる事により、簡便な方法によって見栄えがよく、非常に簡便な工法によって設置可能で、間伐材や建設廃材等のリサイクルにも寄与する保護兼雑草抑制構造体の製造が可能となり、その需要は大であって、以って産業に多大なる貢献をする事が出来るものである。
【図面の簡単な説明】
【００２０】
【図１】本考案にかかる構造体の一例を示す略図である。（実施例１）
【図２】本考案にかかる構造体の一例を示す略図である。（実施例２）
【図３】本考案にかかる構造体のマチ構造の一例を示す略図である。（実施例３）
【符号の説明】
【００２１】
１１    袋状に加工したネット
１２    充填された植物性材料
２１    マチ部
２２    上下を幅を規制する紐状の部材
３１    マチ構造
【図１】
0003115422.tif 000003
【図２】
0003115422.tif 000004
【図３】
0003115422.tif 000005